(57)【要約】      （修正有）【課題】事務デスク等に腕が摺接しても、カッターシャツの袖口等が簡単に汚損しないようにし、また、汚れが生じた場合にでも簡単かつ容易に、しかも安価に取り替えできるようにした衣服の汚損防止用シートを提供する。【解決手段】汚損防止シート体１を長方形状の合成樹脂製の極薄布テープからなる保護テープ板２と、保護テープ板２の裏面側に塗着した合成樹脂製の接着剤層と、接着剤層の外表面に剥離自在に固着した合成樹脂製薄板から成る裏シート板３から構成する。また、汚損防止シート体１に一定の間隔Ｗ１を置いて複数のミシン目５ａを縦向きに並行に設け、また、汚損防止シート体１の短辺側の一側部に一定間隔Ｗ２で高さＨ１の複数のミシン目５ｂを並行に設けた折返し部２ａを形成する。更に、前記裏シート板３を、保護テープ板２の前記折返し部２ａを覆う第２裏シート板３ｂと保護テープ板２のその他の部分を覆う第１裏シート部３ａに分割した構成とする。【選択図】図１
0003172538.tif 000002
【実用新案登録請求の範囲】
【請求項１】
衣服外表面へ貼着することにより衣服の汚損を防止するようにした汚損防止シート体（１）であって、当該汚損防止シート体（１）を長方形状の合成樹脂製の極薄布テープからなる保護テープ板（２）と、保護テープ板（２）の裏面側に塗着した合成樹脂製の接着剤層（４）と、接着剤層（４）の外表面に剥離自在に固着した合成樹脂製薄板から成る裏シート板（３）から構成すると共に、汚損防止シート体（１）に一定の間隔（Ｗ１）を置いて複数のミシン目（５ａ）を縦向きに並行に設け、また、汚損防止シート体（１）の長辺側の一側部に一定間隔（Ｗ２）で高さ（Ｈ１）の複数のミシン目（５ｂ）を並行に設けた折返し部（２ａ）を形成し、更に、前記裏シート板（３）を、保護テープ板（２）の前記折返し部（２ａ）を覆う第２裏シート板（３ｂ）と保護テープ板（２）のその他の部分を覆う第１裏シート部（３ａ）に分割した構成としたことを特徴とする衣服の汚損防止シート体。
【請求項２】
汚損防止シート体（１）の長手方向の両端部に切欠き開口（６）、（６）を設けるようにした請求項１に記載の衣服の汚損防止シート体。
【請求項３】
横幅（Ｗ）を１５０〜３００ｍｍ、縦幅（Ｈ）を４０〜６０ｍｍ、ミシン目（５ａ）の間隔（Ｗ１）を８から１４ｍｍ、ミシン目（５ｂ）の間隔（Ｗ２）を４〜７ｍｍ、折返し部（２ａ）の高さ（Ｈ１）を３〜６ｍｍとするようにした請求項１または請求項２に記載の衣服の汚損防止シート体。
【請求項４】
汚損防止シート体（１）の長手方向の両端部に横幅（Ｗ２）が３〜６ｍｍ、高さ（Ｈ１）が３４〜５７ｍｍ、ミシン目（５ｃ）の間隔（Ｗ３）が４〜７ｍｍの折返し部（２ｂ）、（２ｂ）を設けると共に、裏シート板（３）を、保護テープ板（２）の折返し部（２ａ）及び折返し部（２ｂ）を覆う第３裏シート板（３ｂ）と，保護テープ板（２）のその他の部分を覆う第１裏シート部（３ａ）に分割した構成としたことを特徴とする請求項１または請求項２に記載の衣服の汚損防止シート体。
【請求項５】
裏シート板（３）を、保護テープ板（２）の折返し部（２ａ）を覆う第２裏シート板（３ｂ）と保護テープ板（２）の折返し部（２ｂ）を覆う第３裏シート板（３ｃ）と保護テープ板（２）のその他の部分を覆う第１裏シート部（３ａ）に分割する構成とした請求項４に記載の衣服の汚損防止シート体。
【考案の詳細な説明】
【技術分野】
【０００１】
本考案は、衣服の手首（袖口）部分の外表面の汚損を防ぐために使用する汚損防止シート体に関するものであり、特に、カッターシャツ等の袖口部分が事務用机の表面と摩擦接触することにより汚損したり、或いは、襟首部分が着用者の皮膚等と接触して汚損するのを有効に防止できると共に、簡単且つ容易に取替することができ、しかも、透明で、衣服に強固に固着して使用者に違和感を全く与えないようにした衣服の汚損防止シート体に関するものである。
【背景技術】
【０００２】
一般に、衣服の手首（袖口）や襟首の部分、例えばカッターシャツの袖口部分は、その着用者が事務作業者のような場合には事務デスク表面との接触により、また、生産設備や工場設備関係者の場合には設備機器等との接触により、容易に汚損されることになる。
【０００３】
そのため、一日間着用しただけで、袖口部分以外は全く汚れていなくても、カッターシャツの着替えを余儀なくされることが多くあり、経済性に問題があるうえ、省エネルギーの観点からも好ましいことでない。
【０００４】
一方、上記のような問題に対処するために、例えば特開２００９-１８５４２３号等のように、衣服やカッターシャツの襟と本体とを分離可能に連結し、襟が汚損した場合にはこれを新たな襟と取替えたり、或いは、襟カバーを別に襟本体へ着脱自在に設け、汚損した場合には襟カバーを襟本体から外してクリーニングするようにしたものが、実用化されている（特開２００９-１８５４２３号等）。
【０００５】
しかし、この形式の衣服は、襟と本体との取付け構造や襟本体と襟カバーの取付け構造が複雑になり、衣服の製造コストの引下げを図り難いうえ、襟や襟カバーの取替も容易でなくて手数が掛かり、しかも複数の襟や襟カバーを準備しておく必要があると云う問題がある。
【先行技術文献】
【特許文献】
【０００６】
【特許文献１】特開２００９−１８５４２３号公報
【考案の概要】
【考案が解決しようとする課題】
【０００７】
本考案は、このような問題点に鑑みて為されたものであり、その目的は、衣服の手首部分（袖口部分）へ取替え自在に、且つ、極めて簡単に取付けすることができ、しかも、衣服の着用者は勿論のこと第三者にも全く違和感を与えることなしに、衣服の手首部分（袖口部分）の汚損防止を図れるようにした衣類の汚損防止シート体を提供することにある。
【課題を解決するための手段】
【０００８】
上記目的を達成するために、請求項１の考案は、衣服外表面へ貼着することにより衣服の汚損を防止するようにした汚損防止シート体１であって、当該汚損防止シート体１を長方形状の合成樹脂製の極薄布テープからなる保護テープ板２と、保護テープ板２の裏面側に塗着した合成樹脂製の接着剤層４と、接着剤層４の外表面に剥離自在に固着した合成樹脂製薄板から成る裏シート板３から構成すると共に、汚損防止シート体１に一定の間隔Ｗ１を置いて複数のミシン目５ａを縦向きに並行に設け、また、汚損防止シート体１の長辺側の一側部に一定間隔Ｗ２で高さＨ１の複数のミシン目５ｂを並行に設けた折返し部２ａを形成し、更に、前記裏シート板３を、保護テープ板２の前記折返し部２ａを覆う第２裏シート板３ｂと、保護テープ板２のその他の部分を覆う第１裏シート部３ａに分割した構成としたことを特徴とするものである。
【０００９】
請求項２の考案は、請求項１の考案において、汚損防止シート体１の長手方向の両端部に切欠き開口６、６を設けるようにしたものである。
【００１０】
請求項３の考案は、請求項１または請求項２の考案において、横幅Ｗを１５０〜３００ｍｍ、縦幅Ｈを４０〜６０ｍｍ、ミシン目５ａの間隔Ｗ１を８から１４ｍｍ、ミシン目５ｂの間隔Ｗ２を４〜７ｍｍ、折返し部２ａの高さＨ１を３〜６ｍｍとするようにしたものである。
【００１１】
請求項４の考案は、請求項１または請求項２の考案において、汚損防止シート体１の長手方向の両端部に横幅Ｗ２が３〜６ｍｍ、高さＨ１が３４〜５７ｍｍ、ミシン目５ｃの間隔Ｗ３が４〜７ｍｍの折返し部２ｂ、２ｂを設けると共に、裏シート板３を、保護テープ板２の折返し部２ａ及び折返し部２ｂを覆う第３裏シート板３ｂと，保護テープ板２のその他の部分を覆う第１裏シート部３ａに分割した構成としたことを特徴とするものである。
【００１２】
請求項５の考案は、請求項４の考案において、裏シート板３を、保護テープ板２の折返し部２ａを覆う第２裏シート板３ｂと保護テープ板２の折返し部２ｂを覆う第３裏シート板３ｃと保護テープ板２のその他の部分を覆う第１裏シート部３ａに分割するようにしたものである。
【考案の効果】
【００１３】
本考案に係る衣類の汚損防止シート体は、汚損防止シート体の一側端部及び又は３辺の端部にミシン目５ｂ及び又はミシン目５ｃを設けた折返し部２ａ及び又は２ｂを設ける構成としているため、袖口の全外周部を汚損防止シート体１の折返し部によって極めて円滑に、しかも綺麗に完全にカバーすることができ、袖口の汚損が完全に防止されることになる。
【００１４】
また、本考案では、シート板３を２又は３分割した構成としているため、汚損防止シート体を先に所定の位置へ精度よく固定することができ、その結果、折り返し部をより綺麗に折り返し固定することができるうえ、汚損防止シート体の取替えも極めて円滑に行える。
【００１５】
更に、本考案では、ミシン目５ａを設けているため、必要な場合には当該ミシン目５ａに沿って汚損防止シート体の一部を切り離すことが出来、その結果、汚損防止シート体の長さが袖口の長さ寸法よりも大きい場合であっても、汚損防止シート体の長さの調整を簡単に行なうことができ、容易に汚損防止シート体を適用することが出来る。
【図面の簡単な説明】
【００１６】
【図１】本考案の第１実施形態に係るカッターシャツの汚損防止シート体の平面図である。
【図２】図１のイ−イ視断面図である。
【図３】図１の右側面図である。
【図４】本考案の第２実施形態に係るカッターシャツの汚損防止シート体の平面図である。
【図５】本考案の汚損防止用シートを装着カッターシャツの袖口に装着した状態を示す斜面図である。
【図６】本考案の汚損防止用シートを開襟シャツの襟部に装着した状態を示す斜面図である。
【考案を実施するための形態】
【００１７】
以下、図面に基づいて、本考案に係る衣服の汚損防止シート体の実施形態を説明する。
図１は、本考案の第１実施形態に係るカッターシャツの汚損防止用シートの平面図であり、図２は図１のイ−イ視断面図、図３は図１の右側面図である。
である。
【００１８】
前記図１乃至図３において、１は衣服の汚損防止シート体、２は当該汚損防止シート体を形成する保護テープ板、３は保護テープ板２の裏面側に設けた裏シート板であり、第１裏シート部３ａと第２裏シート部３ｂとに分離されている。また、４は保護テープ板２の裏面側に固着した接着剤層であり、前記裏シート板３によって接着剤層４の裏面側が保護されている。
【００１９】
前記汚損防止シート体１は、株式会社寺岡製作所製のＰカットテープを所定の外形寸法に切断加工することにより形成されている。当該汚損防止シート体１は、切削用カッターや挟み等が無くても人手で自由に縦又は横方向に切断することの可能なものである。また、当該汚損防止シート体１を形成する保護テープ板２には、再生ＰＥＴ繊維を横糸に１００％使用したポリエチレン繊維が基材として使用されており、保護テープ板２そのものは、厚さ０．０５〜０．１０ｍｍの透明で柔軟性を有する薄いシートである。
【００２０】
また、前記保護テープ板２の裏面側には、極薄の合成樹脂製の接着剤層４が含侵固着されており、その外表面には、厚さ０．０８〜０．１ｍｍの薄い合成樹脂製の透明な裏シート板３が剥離可能に接着されていて、これにより接着剤層４の外表面が保護されている。
【００２１】
尚、前記合成樹脂製の接着剤層４は透明なものであり、また、裏シート板３は後述するように、汚損防止シート体１の衣服袖口への装着を容易にするために、広幅の第１シート部３ａと細幅の第２シート部３ｂとに分割されている。
【００２２】
より具体的には、汚損防止シート体１は図１〜図３に示すように、横幅（長さ）Ｗが２００〜３００ｍｍ（大人用カッターシャツの場合）又は１５０〜２００ｍｍ（子供用カッターシャツの場合）、縦幅（高さ）Ｈが４０〜６０ｍｍの外形寸法を有しており、厚さＴは０.１５〜０.２５ｍｍぐらいである。
【００２３】
また、汚損防止シート体１には、横幅Ｗ１が８〜１４ｍｍ間隔（望ましくは１０ｍｍ間隔）で縦方向にミシン目５ａが並行に設けられており、更に、汚損防止シート体１の上端から高さＨ１の部分は折返し部２ａとなっており、ここには、横幅Ｗ２が４〜７ｍｍ間隔（望ましくは５ｍｍ間隔）で縦方向に高さ３〜６ｍｍの複数のミシン目５ｂが、並行に設けられている。
【００２４】
後述するように、この折返し部２ａの部分を袖口の内側へ折込み固着することにより、袖口の長手方向の端部の汚損が完全に防止される。
尚、前記折返し部２ａに対抗する裏面側には、後述する細幅の第２裏シート部３ｂが設けられている。
【００２５】
前記汚損防止シート体１を形成する前記裏シート板３は、前述の通り、保護テープ板２の上端から高さＨ１が３〜６ｍｍ（望ましくは４〜５ｍｍ）の折り返し部分２ａを覆う細幅の第２裏シート部３ｂと、高さＨ２が３４〜５７ｍｍ（望ましくは３５〜５０ｍｍ）の部分を覆う幅広の第１裏シート部３ａとに分割されており、第１及び第２裏シート部３ａ、３ｂは、夫々個別に保護テープ板２から剥離除去できるように構成されている。
【００２６】
尚、図１において、６は汚損防止シート体１の両端部に設けた切欠き開口であり、後述するように、ボタンやボタン孔等を挿通させるための孔である。
【００２７】
図４は、本考案の第２実施形態にかかる汚損防止シート体１の平面図であり、当該第２実施形態は、汚損防止シート体１の横幅（長さ）Ｗの方向の両端部に横幅Ｗ３が３〜６ｍｍの細幅の折り返し部２ｂが設けられており、また、この折り返し部２ｂには、４〜７ｍｍ間隔（望ましくは５ｍｍ間隔）で横方向に長さ３〜６ｍｍのミシン目５ｃが並行に設けられている。
【００２８】
尚、この第２実施形態においては、裏シート板３は、保護テープ板２の中央部分を覆う第１裏シート部３ａと、折り返し部２ａを覆う第２裏シート部３ｂと、折り返し部２ｂを覆う第３裏シート部３ｃとから形成されている。
【００２９】
次に、本考案に係る汚損防止シート体１の使用方法に付いて説明する。
図５を参照して、図５は所謂カッターシャツの袖口Ａへ本願考案の第１実施形態に係る汚損防止シート体１を適用した状態を示す斜面図であり、汚損防止用シート１を使用する場合には、先ず、裏シート板３の第１裏シート部３ａを保護テープ部２から剥離し、これを除去する。
【００３０】
次に、保護テープ部２の短辺側の一端を、その折り返し部２ａをカッターシャツ袖口Ａの長手方向の端部より外方へ突出させた状態で、袖口Ａの短辺側の端部に合わせ、保護テープ部２をカッターシャツの袖口Ａへ密着固定させる。
その後、折り返し部２ａの裏面側の第２裏シート３ｂを剥離除去し、ミシン目５ｂに沿って切り目を入れつつ、折り返す部２ｂを袖口Ａの内側へ折り込み固着する。
【００３１】
尚、若しも、袖口Ａに対して汚損防止シート体１の長さ（横幅）Ｗが大きすぎる場合には、ミシン目５ａに沿って汚損防止シート体１の一部を取り除き、適宜に汚損防止シート体１の長さを調節する。
【００３２】
第２実施形態に係る汚損防止シート体１を使用する場合も略同じであり、汚損防止シート体１の長手方向の両端部に設けた折り返し部２ｂ，２ｂの折り返し作業が増えるだけである。
【００３３】
尚、本考案に係る汚損防止シート体１は、その横幅Ｗを大きくすることにより、図６に示すように、衣服の袖口Ａだけでなくその襟首やカラーの汚損防止に適用することができることは勿論である。
【産業上の利用可能性】
【００３４】
本考案は、衣服の袖口やカラー等だけでなく、ズボンの裾口や和服の襟首、袖口等の汚損防止にも適用できるものである。
【符号の説明】
【００３５】
１は衣服の汚損防止シート体
２は保護テープ板
２ａは折り返し部
２ｂは折り返し部
３は裏シート
３ａは第１裏シート部
３ｂは第２裏シート部
３ｃは第３裏シート部
４は接着剤層
５ａはミシン目
５ｂはミシン目
５ｃはミシン目
６は切欠き開口
Ａはカッターシャツの袖口
Ｈは保護テープの高さ（縦幅）
Ｈ１は第２裏シート部の高さ
Ｈ２は第１裏シート部の高さ
Ｗは保護テープの長さ（横幅）
Ｗ１はミシン目５ａの間隔
Ｗ２はミシン目５ａの間隔
Ｗ３はミシン目５ｃの間隔
【図１】
0003172538.tif 000003
【図２】
0003172538.tif 000004
【図３】
0003172538.tif 000005
【図４】
0003172538.tif 000006
【図５】
0003172538.tif 000007
【図６】
0003172538.tif 000008